【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】
スピーカが搭載された音響装置と、前記スピーカから放音される音声の周波数特性を測定する測定装置とを有し、前記音響装置の前記スピーカから放音される音声の周波数特性を予め定められた規格の範囲内に収めるように調整する周波数特性調整システムであって、
前記音響装置は、
周波数特性の測定用音声信号を前記スピーカに供給するための測定用音声信号供給手段と、
設定されるパラメータにより、前記スピーカに供給する音声信号の周波数特性を調節する周波数特性調節手段と、
外部からの前記パラメータの入力を受け付けて、前記周波数特性調節手段に設定するパラメータ設定手段と
を備え、
前記測定装置は、
前記音響装置の前記スピーカからの前記測定用音声信号の放音音声を収音するマイクロホンと、
前記マイクロホンにより収音した前記放音音声の周波数特性を測定する周波数特性測定手段と、
前記周波数特性測定手段による測定結果から、前記音響装置の前記スピーカから放音される音声の周波数特性を前記規格の範囲内に収めるように、前記音響装置の前記周波数特性調節手段に設定するパラメータを作成し、これを前記音響装置に供給するパラメータ作成手段と
を備えることを特徴とする周波数特性調整システム。
【請求項２】
マイクロホンが搭載された音響装置と、前記マイクロホンにより収音された音声の周波数特性を測定するための測定用音声信号を発生させる測定用音声信号発生装置とを有し、前記音響装置の前記マイクロホンにより収音された音声の周波数特性を予め定められた規格の範囲内に収めるように調整する周波数特性調整システムであって、
前記音響装置は、
設定されるパラメータにより、前記マイクロホンにより収音した音声の周波数特性を調節する周波数特性調節手段と、
前記測定用音声発生装置から放音され、前記マイクロホンにより収音した音声の周波数特性を測定する周波数特性測定手段と、
前記周波数特性測定手段による測定結果から、前記マイクロホンにより収音した音声の周波数特性を前記規格の範囲内に収めるように、前記周波数特性調節手段に設定するパラメータを作成し、これを前記周波数特性調節手段に設定するパラメータ作成手段と
を備えることを特徴とする周波数特性調整システム。
【請求項３】
筐体に取り付けられたスピーカと、
設定されるパラメータにより、前記スピーカに供給する音声信号の周波数特性を調節する周波数特性調節手段と、
前記周波数特性調節手段に対するパラメータの入力を受け付けて、これを前記周波数特性調節手段に設定するパラメータ設定手段と
を備えることを特徴とする音響装置。
【請求項４】
請求項３に記載の音響装置であって、
前記スピーカに供給する音声信号の周波数特性を調節するための使用者からの指示入力を受け付ける指示入力受付手段と、
前記指示入力受付手段を通じて受け付けた前記指示入力に応じて、前記スピーカに供給する音声信号の周波数特性を調節するためのパラメータを作成し、これを前記周波数特性調節手段に設定するパラメータ作成手段と
を備えることを特徴とする音響装置。
【請求項５】
筐体に取り付けられたマイクロホンと、
設定されるパラメータにより、前記マイクロホンにより収音した音声の周波数特性を調節する周波数特性調節手段と、
前記マイクロホンにより収音した音声の周波数特性を測定する周波数特性測定手段と、
前記周波数特性測定手段による測定結果から、前記周波数特性調節手段に設定するパラメータを作成し、これを前記周波数特性調節手段に設定するパラメータ作成手段と
を備えることを特徴とする音響装置。
【請求項６】
請求項３、請求項４または請求項５に記載の音響装置であって、
前記パラメータは、周波数帯域を複数に分割し、各帯域毎の前記放音音声についての周波数特性のレベルと尖鋭度とに応じて作成されることを特徴とする音響装置。
【請求項７】
請求項３または請求項４に記載の音響装置であって、
前記スピーカを受話器として用いる通信端末装置であることを特徴とする音響装置。
【請求項８】
請求項５または請求項６に記載の音響装置であって、
前記マイクロホンを送話器として用いる通信端末装置であることを特徴とする音響装置。
【請求項９】
スピーカが搭載された音響装置の前記スピーカから放音される音声の周波数特性を予め定められた規格の範囲内に収めるように調整する周波数特性調整方法であって、
前記音響装置の前記スピーカから周波数特性の測定用音声信号を放音する測定用音声信号放音工程と、
前記スピーカからの前記測定用音声信号の放音音声を収音して、収音した前記放音音声の周波数特性を測定する周波数特性測定工程と、
前記周波数特性測定工程においての測定結果から、前記音響装置の前記スピーカから放音される音声の周波数特性を前記規格の範囲内に収めるように、前記スピーカに供給する音声信号の周波数特性を調節する周波数特性調節手段に設定するパラメータを作成し、前記周波数特性調節手段に設定するパラメータ作成工程と
を有することを特徴とする周波数特性調整方法。
【請求項１０】
マイクロホンが搭載された音響装置の前記マイクロホンにより収音される音声信号の周波数特性を予め定められた規格の範囲内に収めるように調整する周波数特性調整方法であって、
周波数特性を測定するために放音された測定用音声を前記マイクロホンにより収音する測定用音声収音工程と、
前記測定用音声収音工程において収音された前記測定用音声の周波数特性を測定する周波数特性測定工程と、
前記周波数特性測定工程においての測定結果から、前記マイクロホンにより収音した音声の周波数特性を前記規格の範囲内に収めるように、前記マイクロホンにより収音された音声の周波数特性を調節する周波数特性調節手段に対して設定するパラメータを作成し、前記周波数特性調節手段に設定するパラメータ作成工程と
を有することを特徴とする周波数特性調整方法。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】変更
【補正の内容】
【００２７】
また、請求項３に記載の発明の音響装置は、
筐体に取り付けられたスピーカと、
設定されるパラメータにより、前記スピーカに供給する音声信号の周波数特性を調節する周波数特性調節手段と、
前記周波数特性調節手段に対するパラメータの入力を受け付けて、これを前記周波数特性調節手段に設定するパラメータ設定手段と
を備えることを特徴とする。
【手続補正１２】
【補正対象書類名】明細書
【補正対象項目名】００２８
【補正方法】変更
【補正の内容】
【００２８】
この請求項３に記載の周波数特性調整方法によれば、外部からパラメータの提供を受け、このパラメータに応じて、スピーカに供給する音声信号の周波数特性が調節される。これにより、外部からのパラメータによって、音響装置のスピーカから放音される音声の周波数特性を調整することができる。
【手続補正１３】
【補正対象書類名】明細書
【補正対象項目名】００２９
【補正方法】変更
【補正の内容】
【００２９】
また、請求項４に記載の発明の音響装置は、請求項３に記載の音響装置であって、
前記スピーカに供給する音声信号の周波数特性を調節するための使用者からの指示入力を受け付ける指示入力受付手段と、
前記指示入力受付手段を通じて受け付けた前記指示入力に応じて、前記スピーカに供給する音声信号の周波数特性を調節するためのパラメータを作成し、これを前記周波数特性調節手段に設定するパラメータ作成手段と
を備えることを特徴とする。
【手続補正１４】
【補正対象書類名】明細書
【補正対象項目名】００３０
【補正方法】変更
【補正の内容】
【００３０】
この請求項４に記載の発明の音響装置によれば、当該音響装置の使用者からの指示入力に応じて、パラメータ作成手段により、周波数特性調節手段に対するパラメータが作成され、この作成されたパラメータが周波数特性調整手段に設定される。これにより、使用者からの要求に応じて、スピーカからの放音音声の周波数特性を調整することができる。つまり、スピーカから放音される音声の周波数特性を使用者の好みに応じて調整することができる。
【手続補正１５】
【補正対象書類名】明細書
【補正対象項目名】００３１
【補正方法】変更
【補正の内容】
【００３１】
また、請求項５に記載の発明の音響装置は、
筐体に取り付けられたマイクロホンと、
設定されるパラメータにより、前記マイクロホンにより収音した音声の周波数特性を調節する周波数特性調節手段と、
前記マイクロホンにより収音した音声の周波数特性を測定する周波数特性測定手段と、
前記周波数特性測定手段による測定結果から、前記周波数特性調節手段に設定するパラメータを作成し、これを前記周波数特性調節手段に設定するパラメータ作成手段と
を備えることを特徴とする。
【手続補正１６】
【補正対象書類名】明細書
【補正対象項目名】００３２
【補正方法】変更
【補正の内容】
【００３２】
この請求項５に記載の音響装置によれば、周波数特性測定手段により測定された周波数特性に基づいて、パラメータ作成手段により、周波数特性調節手段に設定されるパラメータが作成される。このパラメータ作成手段により作成されたパラメータが、周波数特性調節手段に設定さる。これにより、音響装置のマイクロホンにより収音した音声の周波数特性を自動てきに調整することができる。
【手続補正１７】
【補正対象書類名】明細書
【補正対象項目名】００５８
【補正方法】変更
【補正の内容】
【００５８】
標準マイクロホン２０１は、携帯電話端末１のスピーカ１１２からのテスト音声データに応じた放音音声を収音して、アナログ音声信号に変換し、これをスペクトラムアナライザ２０２に供給する。スペクトラムアナライザ２０２は、標準マイクロホン２０１からのアナログ音声信号についての周波数特性を測定し、測定の結果えられた周波数特性についてのデータを補正データ生成装置２０３に供給する。
【手続補正１８】
【補正対象書類名】明細書
【補正対象項目名】０１６５
【補正方法】変更
【補正の内容】
【０１６５】
また、スピーカから放音される放音音声や、マイクロホンにより収音される収音音声は、これらスピーカやマイクロホンが搭載される音響装置の筐体や基板などから受ける影響を確実に除去することができる。
【手続補正１９】
【補正対象書類名】明細書
【補正対象項目名】図８
【補正方法】変更
【補正の内容】
【図８】
図１、図２に示した携帯電話端末のスピーカから放音される音声についての周波数特性についての規格と、その規格に合致するようにする周波数特性の調整について説明するための図である。